【事件の表示】
　平成１０年特許願第２２７４０４号「ファクシミリ装置」拒絶査定不服審判事件〔平成１２年　２月２５日出願公開、特開２０００−　５９５５６〕について、次のとおり審決する。
【結　論】
　本件審判の請求は、成り立たない。
【理　由】
１．手続の経緯
　本願は、平成１０年８月１１日の出願であって、平成１３年８月３１日付で手続補正がなされ、平成１３年１１月２日付で拒絶査定がなされ、これに対して、平成１３年１２月６日付で審判請求がなされた後、平成１３年１２月２７日付で手続補正がなされたものである。
　
２．平成１３年１２月２７日付の手続補正についての補正却下の決定
［補正却下の決定の結論］
　平成１３年１２月２７日付の手続補正を却下する。
［理由］
（１）補正後の本願発明
　本件補正により、特許請求の範囲の請求項１は、
「【請求項１】  ファクシミリ通信のメッセージを画情報に変換する第１変換手段と、ファクシミリ通信によりメッセージを受信した場合に受信したメッセージを前記第１変換手段を制御して画情報に変換させる第１制御部とを有するファクシミリ制御部と、
　印字情報を画情報に変換する第２変換手段と、外部コンピュータから印字情報を受信した場合に受信した印字情報を前記第２変換手段を制御して画情報に変換させる第２制御部とを有するプリンタ制御部と、
　前記第１変換手段又は前記第２変換手段が変換した画情報を印字する印字手段と、
　前記ファクシミリ制御部がファクシミリ通信のメッセージを受信した場合は前記第１変換手段のみが前記印字手段に直接接続されるように、前記プリンタ制御部が外部コンピュータから印字情報を受信した場合は前記第２変換手段のみが前記印字手段に直接接続されるように前記第１制御手段により切替制御される切替手段と
　を備えたことを特徴とするファクシミリ装置。」
と補正された。
　なお、上記請求項１の下から３行目には、「前記第１制御
手段
　そして上記補正は、請求項１に記載された発明を特定するために必要な事項である「ファクシミリ制御部」について「ファクシミリ通信によりメッセージを受信した場合に受信したメッセージを前記第１変換手段を制御して画情報に変換させる第１制御部」を有するとの限定を付加し、同様に、「プリンタ制御部」について「外部コンピュータから印字情報を受信した場合に受信した印字情報を前記第２変換手段を制御して画情報に変換させる第２制御部」を有するとの限定を付加し、さらに、「切替手段」について「前記第１制御手段により切替制御される」こと、及び印字手段に直接接続されるのは「前記第１変換手段のみ」か「前記第２変換手段のみ」であるとの限定を実質的に付加するものであるから、特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（平成１５年改正前特許法第１７条の２第５項において準用する同法第１２６条第４項の規定に適合するか）について以下に検討する。
　
（２）引用例
　原査定の拒絶の理由に引用された特開平９−９８２４６号公報（以下、「引用例」という。）には、特に「従来の技術」に関して図面とともに以下の各記載がある。
　ア．「【従来の技術】図８は、ファクシミリ部とプリンタ部で構成される画像記録装置の従来の構成例を示すブロック図である。」（２頁右欄３２〜３４行）
　イ．「【０００４】そして、ファクシミリ部１は、以下のものより構成されている。
【０００５】まず、ファクシミリＭＰＵ８０１は、ファクシミリ部１の動作を制御するためのＭＰＵである。ＲＯＭ８０２には、ファクシミリ部１用の動作プログラム、テーブルデータ等が格納されている。
　　　　　　　　　　　　（中略）
【０００８】通信部８０５は、ＮＣＵ、画像通信用モデム（ＤＴＭＦ受信機、トーン信号送信機、トーン信号受信機を含む）、呼び出し信号（ＣＩ）検出器等よりなるものである。
【０００９】操作部／表示部８０６は、テンキー、ワンタッチキー、プリンタモードキー等のキーボード操作部とＬＣＤ、ＬＥＤ等の表示部とを有するものである。スピーカ部８０７は、動作音、警告音、アラーム音、疑似呼び出し音を鳴動するものである。
【００１０】プリンタ部接続スイッチ８０８は、セントロニクスインターフェースを介し、プリンタ部２に転送するデータを選択するための切り換えスイッチであり、ファクシミリ部１の記録系として動作するモード（以下、ファクシミリモードという）か、接続されたワードプロセッサやパーソナルコンピュータ等の外部コンピュータ（図示せず）のプリンタとして動作するモード（以下、プリンタモードという）かにより、ファクシミリＭＰＵ８０１の指示に従って切り換え動作する。
【００１１】このプリンタ部接続スイッチ８０８は、オペレータが前記操作部８０６のプリンタモードキーを操作することにより、切り換えられる。
【００１２】コネクタ８０９は、プリンタモード時、外部コンピュータと接続するためのセントロニクス準拠の外部コンピュータ接続コネクタである。」（２頁右欄４０行〜３頁左欄２８行）
　ウ．「【００１３】一方、プリンタ部２は、以下のものより構成されている。
【００１４】プリンタＭＰＵ９０１は、プリンタ部２の動作を制御するためのＭＰＵであり、ＲＯＭ９０２には、プリンタ部２用の動作プロトコル、テーブルデータ、フォントデータ等が格納されている。記録動作部９０３は、記録紙の搬送、印字ヘッドの駆動、印字動作を行うものである。
【００１５】ＲＡＭ９０４は、セントロ受信メモリ、ラスタメモリ、テキストメモリ、プリントメモリ等からなるものである。そして、セントロ受信メモリは、ファクシミリ部１のプリンタ部接続スイッチ８０８からの転送速度が高速なため、一時的にセントロ受信データを保持しておくためのメモリであり、ラスタメモリは、プリンタＭＰＵ９０１がセントロ受信メモリのデータを１バイト毎に解析し、印字データのみを抽出するためのメモリである。
【００１６】また、テキストメモリは、プリンタＭＰＵ９０１がセントロ受信メモリのデータを１バイト毎に解析し、文字コードのみを抽出するためのメモリであり、プリントメモリは、印字直前の印字データメモリであって、２スキャン分のサイズを持ち、交互に使用する。」（３頁左欄３２行〜同頁右欄３行）
　エ．「【００１８】また、ファクシミリ部１とプリンタ部２のインターフェースは、以下のものより構成されている。
【００１９】セントロニクスインターフェース１００１は、プリンタ部接続スイッチ８０８とＲＡＭ９０４とを結ぶインターフェースであり、ファクシミリ部１からは制御コード、文字コード、画像データをコマンド体系に従い転送する。プリンタ部接続スイッチ８０８には、外部コンピュータ接続コネクタ８０９が接続され、この外部コンピュータ接続コネクタ８０９を介して、プリンタ部接続スイッチ８０８とパーソナルコンピュータ等の不図示のコンピュータが接続されている。これによって、外部コンピュータからの制御コード、文字コード、画像データがコマンド体系に従い転送される。
【００２０】ファクシミリモードとプリンタモードとの切り換えは、プリンタ部接続スイッチ８０８によって行う。
【００２１】以上のように構成された従来例の画像記録装置において、ファクシミリモード時には、オペレータがプリンタ部接続スイッチ８０８をファクシミリ部１側に接続した後、読取部８０４または通信部８０５からの画データを、ファクシミリＭＰＵ８０１で生データにデコード、コマンドを付加し、その印字コマンドをセントロインターフェース１００１で、プリンタ部２のＲＡＭ９０４へ転送する。プリンタＭＰＵ９０１は、ＲＡＭ９０４の印字コマンドを解析し、記録動作部９０３により印字動作を実行する。
【００２２】また、プリンタモード時には、オペレータがプリンタ部接続スイッチ８０８を外部コンピュータ接続コネクタ側に接続した後、外部コンピュータから、印字コマンドをセントロインターフェース１００１で、プリンタ部２のＲＡＭ９０４へ転送する。プリンタＭＰＵ９０１は、ＲＡＭ９０４の印字コマンドを解析し、記録動作部９０３により印字動作を実行する。」（３頁右欄７〜３９行）
　これらの記載からみて、引用例には、
「ファクシミリモード時に、通信部８０５からの画データを生データにデコードし、コマンドを付加すると共に、各部の動作を制御するファクシミリＭＰＵ８０１と、ファクシミリＭＰＵ８０１の指示に従って切り換え動作するプリンタ部接続スイッチ８０８と、プリンタモード時、外部コンピュータと接続するためのセントロニクス準拠の外部コンピュータ接続コネクタであるコネクタ８０９とを有するファクシミリ部１と、
　ＲＡＭ９０４に保持された印字コマンドを解析し、記録動作部９０３により印字動作を実行するプリンタＭＰＵ９０１と、記録紙の搬送、印字ヘッドの駆動、印字動作を行う記録動作部９０３とを有するプリンタ部２と、
　ファクシミリモード時には、プリンタ部接続スイッチ８０８をファクシミリ部１側に接続した後、読取部８０４または通信部８０５からの画データを、ファクシミリＭＰＵ８０１で生データにデコード、コマンドを付加し、その印字コマンドをセントロインターフェース１００１で、プリンタ部２のＲＡＭ９０４へ転送し、プリンタＭＰＵ９０１は、ＲＡＭ９０４の印字コマンドを解析し、記録動作部９０３により印字動作を実行し、また、プリンタモード時には、プリンタ部接続スイッチ８０８を外部コンピュータ接続コネクタ側に接続した後、外部コンピュータから、印字コマンドをセントロインターフェース１００１で、プリンタ部２のＲＡＭ９０４へ転送し、プリンタＭＰＵ９０１は、ＲＡＭ９０４の印字コマンドを解析し、記録動作部９０３により印字動作を実行するようにした画像記録装置。」の発明（以下、「引用例記載の発明」という。）が記載されている。
　
（３）対比
　そこで、本願補正発明と引用例記載の発明とを対比すると、
　本願補正発明がファクミリ装置であり、引用例記載の発明が画像記録装置であるが、引用例記載の発明もファクシミリ部とプリンタ部とから構成されてファクシミリとしての機能を有しているのであるから、引用例記載の発明の「画像記録装置」は、本願補正発明の「ファクシミリ装置」に相当するといえ、
　ファクシミリ通信のメッセージを入力して変換して、印字手段に出力する点では、引用例記載の発明の「ファクシミリ部１」は、本願補正発明の「ファクシミリ制御部」に相当し、
　引用例記載の発明の「プリンタ部２」は、プリンタモード時には、外部コンピュータからの印字コマンドをプリンタ部２のＲＡＭ９０４へ転送し、プリンタＭＰＵ９０１は、ＲＡＭ９０４の印字コマンドを解析し、記録動作部９０３により印字動作を実行しているから、以下の相違点はあるが、本願補正発明における、印字情報を画情報に変換する変換手段と、外部コンピュータから印字情報を受信した場合に受信した印字情報を変換手段を制御して画情報に変換させる制御部とを有する「プリンタ制御部」に相当し、
　引用例記載の発明の「記録動作部９０３」は、画情報を印字するものである点で、本願補正発明の「印字手段」に相当し、
　引用例記載の発明のファクシミリ部１の「プリンタ部接続スイッチ８０８」は、ファクシミリ通信のメッセージを受信した場合はそのファクシミリメッセージに係るデータが印字手段に出力されるように、外部コンピュータから印字情報を受信した場合はその外部コンピュータの印字情報に係るデータが印字手段に出力されるように切替制御されるものである点では、本願補正発明の「切替手段」に相当するということができるから、
　両者は、
「ファクシミリ通信のメッセージを変換する変換手段と、ファクシミリ通信によりメッセージを受信した場合に受信したメッセージを前記変換手段を制御して変換させる制御部とを有するファクシミリ制御部と、
　印字情報を画情報に変換する変換手段と、外部コンピュータから印字情報を受信した場合に受信した印字情報を前記変換手段を制御して画情報に変換させる制御部とを有するプリンタ制御部と、
　画情報を印字する印字手段と、
　前記ファクシミリ制御部がファクシミリ通信のメッセージを受信した場合はそのファクシミリメッセージに係るデータが前記印字手段に出力されるように、外部コンピュータから印字情報を受信した場合はその外部コンピュータの印字情報に係るデータが前記印字手段に出力されるように切替制御される切替手段と
　を備えたことを特徴とするファクシミリ装置。」
である点で一致し、次の点で相違しているものと認められる。
［相違点１］
　ファクシミリ制御部が、本願補正発明では、ファクシミリ通信のメッセージを画情報に変換する第１変換手段と、ファクシミリ通信によりメッセージを受信した場合に受信したメッセージを前記第１変換手段を制御して画情報に変換させる第１制御部とを有するのに対して、引用例記載の発明では、変換手段、制御部はそれぞれ有しているが、変換手段がファクシミリ通信のメッセージを画情報に変換するとは明記されていない点。
［相違点２］
　本願補正発明のプリンタ制御部は、印字情報を画情報に変換する第２変換手段と、外部コンピュータから印字情報を受信した場合に受信した印字情報を前記第２変換手段を制御して画情報に変換させる第２制御部とを有し、切替手段を介して印字手段に接続されるのに対して、引用例記載の発明では、プリンタ部２内の変換手段、制御部は、外部コンピュータからプリンタ部接続スイッチ８０８を介して入力される外部コンピュータからのデータを解析して印字する制御を行うと共に、プリンタ部接続スイッチ８０８を介して入力されるファクシミリ部１からのデータを解析して印字する制御も行っている点。
［相違点３］
　印字手段が、本願補正発明では、第１変換手段又は第２変換手段が変換した画情報を印字するものであるのに対して、引用例記載の発明では、ファクシミリモード又はプリンタモードにおいてもプリンタ部２内のプリンタＭＰＵ９０１等で変換された画情報を印字するものである点。
［相違点４］
　切替手段が、本願補正発明では、ファクシミリ制御部がファクシミリ通信のメッセージを受信した場合は第１変換手段のみが印字手段に直接接続されるように、プリンタ制御部が外部コンピュータから印字情報を受信した場合は第２変換手段のみが印字手段に直接接続されるように第１制御部により切替制御されるのに対して、引用例記載の発明では、切替手段が、ファクシミリ部１にプリンタ部接続スイッチ８０８として設けられ、ファクシミリＭＰＵ８０１の指示に従ってプリンタ部２をファクシミリ部１の記録系として動作するモードか、外部コンピュータのプリンタとして動作するモードかにより切り替えられる点。
　
（４）判断
　上記相違点について検討する。
［相違点１］について
　本願補正発明における「第１変換手段」とは具体的にどのような変換を行うものを意味しているのか定かではないが、本願明細書の段落【０００７】の「ＦＡＸ制御Ｇ／Ａ１４は、ＤＭＡＣ１６から与えられたイメージデータをＭＨ，ＭＲ，及びＭＭＲ等の方式を用いてビットマップ・イメージに変換し」なる記載によれば、少なくともＭＨ等の方式によって圧縮符号化されたデータ（メッセージ）を復号化することを含むものであると解されるところ、引用例記載の発明においても、「通信部８０５からの画データを、ファクシミリＭＰＵ８０１で生データにデコード」する旨記載（前記（２）エを参照。さらに必要であれば、この引用例の段落【００７７】の記載も参照されたい。）されているのであるから、引用例記載の発明の「変換手段」もファクシミリ通信のメッセージを画情報に変換するものと表現することは当業者が容易に考えられることである。
［相違点２］ないし［相違点４］について
　これらの相違点については結局、ファクシミリ制御部、プリンタ制御部（第２変換手段、第２制御部）、切替手段、印字手段及び外部コンピュータの配置関係の相違に起因しているといえる。そして、ファクシミリ機能とプリンタ機能とを有する装置において、特に、第２変換手段及び第２制御部に相当するものを、切替手段の入力側に設けるとともに、外部コンピュータからの印字情報についてのみ画情報に変換するものとし、印字手段は第１変換手段又は第２変換手段が変換した画情報を印字するように各手段の配置関係を定めることは、例えば特開平３−１６３６３号公報（「ＣＯＤＥＣ部１０」、「プリンタエミュレータ６」、「印字部９」、「スイッチ１４」が、それぞれ本願補正発明の「第１変換手段」、「第２変換手段」、「印字手段」、「切替手段」に相当し、ファクシミリ通信のメッセージを受信した場合はＣＯＤＥＣ部１０のみが印字部９に直接接続され、外部コンピュータから印字情報を受信した場合はプリンタエミュレータ６のみが印字手段に直接接続されるように制御されている。）、特開平７−１５５７０号公報（「ＦＡＸモジュール１５」、「ＰＤＬモジュール２０」、「プリンタエンジン１９」、「切換器１８」が、それぞれ本願補正発明の「第１変換手段」、「第２変換手段」、「印字手段」、「切替手段」に相当している。）、特開平１０−１１６１６２号公報（「通信用符号復号化処理部１１１」、「プリンタフォーマッタ１１７」、「プリンタ１１４」、「記録制御部１１３」が、それぞれ本願補正発明の「第１変換手段」、「第２変換手段」、「印字手段」、「切替手段」に相当している。また、段落【００２３】には、プリンタフォーマッタ１１７でイメージデータに展開した画像は、システムバス１１５を介さずに直接記録制御部１１３に送信され、プリンタ１１４からプリントされる旨も記載されている。）に記載されているように適宜に行われることであり、引用例記載の発明においても、このような各手段の配置関係を採用し、すなわち、プリンタ制御部は「印字情報を画情報に変換する第２変換手段と、外部コンピュータから印字情報を受信した場合に受信した印字情報を前記第２変換手段を制御して画情報に変換させる第２制御部とを有し、切替手段を介して印字手段に接続される」ものとし、印字手段は「前記第１変換手段又は前記第２変換手段が変換した画情報を印字する」ものとし、切替手段が「前記ファクシミリ制御部がファクシミリ通信のメッセージを受信した場合は前記第１変換手段のみが前記印字手段に直接接続されるように、前記プリンタ制御部が外部コンピュータから印字情報を受信した場合は前記第２変換手段のみが前記印字手段に直接接続されるように第１制御部により切替制御される」ようにすることは当業者が容易になし得ることと認められる。
　そして、本願発明の発明特定事項に基づく作用効果についてみても当業者が予測し得る範囲内のものにすぎず、格別顕著なものがあるとはいえない。
　
　なお付言しておくと、引用例記載の発明では、ファクシミリＭＰＵ８０１がプリンタ接続スイツチ８０８を切替制御するに際して判断が、オペレータによる操作部８０６のプリンタモードキーの操作に基づいて行われるようにされているが、本願請求項１では、第１制御部が切替手段を切替制御するに際しての判断がどのような技術的手段にて行われるのか何ら限定されていないから、かかる技術事項については相違点とはならない。
　
（５）むすび
　以上のとおり、本件補正は、平成１５年改正前特許法第１７条の２第５項で準用する同法第１２６条第４項の規定に違反するものであり、特許法第１５９条第１項で読み替えて準用する同法第５３条第１項の規定により却下されるべきものである。
　　
３．本願発明について
　平成１３年１２月２７日付の手続補正は上記のとおり却下されたので、本願の請求項１に係る発明（以下、「本願発明」という。）は、平成１３年８月３１日付手続補正書の特許請求の範囲の請求項１に記載された、以下のとおりのものである。           
「【請求項１】  ファクシミリ通信により受信したメッセージを画情報に変換する第１変換手段を有するファクシミリ制御部と、外部コンピュータから受信した印字情報を画情報に変換する第２変換手段を有するプリンタ制御部と、与えられた画情報に基づいて印字する印字手段とを備えたファクシミリ装置において、
　前記第１変換手段により変換された画情報を前記第１変換手段から前記印字手段へ直接与えるか、または前記第２変換手段により変換された画情報を前記第２変換手段から前記印字手段へ直接与えるかの選択的切替を行なう切替手段を備えたことを特徴とするファクシミリ装置。」
　
（１）引用例
　原査定の拒絶の理由に引用された引用例、および、その記載事項は、前記「２．（２）」に記載したとおりである。
　
（２）対比・判断
　本願発明は、前記２．で検討した本願補正発明から「ファクシミリ制御部」の限定事項である「ファクシミリ通信によりメッセージを受信した場合に受信したメッセージを前記第１変換手段を制御して画情報に変換させる第１制御部」を有する点を省き、同様に、「プリンタ制御部」の限定事項である「外部コンピュータから印字情報を受信した場合に受信した印字情報を前記第２変換手段を制御して画情報に変換させる第２制御部」を有する点を省き、さらに、「切替手段」の限定事項である「前記第１制御手段により切替制御される」こと、及び印字手段に直接接続されるのは「前記第１変換手段のみ」か「前記第２変換手段のみ」であるとする点を省いたものである。
　そうすると、本願発明の発明特定事項を全て含み、さらに他の限定事項を付加したものに相当する本願補正発明が、前記「２．（４）」に記載したとおり、引用例に記載された発明に基づいて当業者が容易に発明をすることができたものであるから、本願発明も、同様の理由により、引用例に記載された発明に基づいて当業者が容易に発明をすることができたものである。
　
（３）以上のとおり、本願発明は、引用例に記載された発明に基づいて当業者が容易に発明をすることができたものであるから、特許法第２９条第２項の規定により特許を受けることができない。
　よって、結論のとおり審決する。